Podtech/llm-jp-corpus-v4-ja_patent huggingface dataset:
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
医用画像撮影装置によって取得した被検体の画像データセットを読み込む画像読込み手段と、
前記読み込まれた画像データセットから濃度情報を算出する対象となる対象臓器を抽出する対象臓器抽出手段と、
前記抽出された対象臓器の任意の断面像を作成する断面像作成手段と、
前記断面像上の任意の線分上に連続して存在する画素値の情報である濃度情報を算出する濃度情報算出手段と、
前記算出された濃度情報と、正常濃度情報との差異の大きさを表す指標である特異量及びその特異量が算出された前記対象臓器内における位置を示す位置情報を求める特異量算出手段と、
前記特異量算出手段により算出された特異量に関する情報を表示する表示手段と、
を備えたことを特徴とする画像表示装置。
【請求項２】
前記算出された特異量及び前記位置情報に基づいて、前記対象臓器における特異量の分布を示す特異量マップを作成する特異量マップ作成手段を備え、
前記表示手段は、前記特異量マップを前記断面像の異常部位位置に重ねた画像を前記特異量に関する情報として表示することを特徴とする請求項１に記載の画像表示装置。
【請求項３】
前記特異量算出手段は、前記算出された特異量のうちの最大値である最大特異量及びその最大特異量が存在する位置を示す位置情報を求め、
前記表示手段は、前記位置情報に基づいて前記最大特異量が存在する位置を示すマーカを前記断面像上に付加した画像を前記特異量に関する情報として表示することを特徴とする請求項１に記載の画像表示装置。
【請求項４】
前記特異量算出手段は、前記算出された特異量のうちの最大値である最大特異量及びその最大特異量が存在する位置を示す位置情報を求め、
前記位置情報に基づいて最大特異量の分布を示す最大特異量マップ作成手段を備え、
前記表示手段は、前記最大特異量マップを前記断面像と並べた画像を前記特異量に関する情報として表示することを特徴とする請求項１に記載の画像表示装置。
【請求項５】
前記特異量算出手段は、前記断面像の各径方向の特異量のうちの最大値である最大特異量を求め、
前記最大特異量マップ作成手段は、前記断面像の各径方向の最大特異量に基づいて、前記断面像の周方向に沿った最大特異量の分布を示す最大特異量マップを作成することを特徴とする請求項４に記載の画像表示装置。
【請求項６】
前記特異量算出手段は、前記対象臓器の複数の断面像において各断面像について求められた特異量のうちの最大値である最大特異量を求め、
前記最大特異量マップ作成手段は、前記対象臓器の複数の断面像を構成する断面像毎に求めた最大特異量に基づいて、前記対象臓器の走行方向に沿った最大特異量の分布を示す最大特異量マップを作成することを特徴とする請求項４に記載の画像表示装置。
【手続補正２】
【補正対象書類名】明細書
【補正対象項目名】０００５
【補正方法】変更
【補正の内容】
【０００５】
上記目的を達成するために、本発明に係る画像表示装置は、医用画像撮影装置によって取得した被検体の画像データセットを読み込む画像読込み手段と、前記読み込まれた画像データセットから濃度情報を算出する対象となる対象臓器を抽出する対象臓器抽出手段と、前記抽出された対象臓器の任意の断面像を作成する断面像作成手段と、前記断面像上の任意の線分上に連続して存在する画素値の情報である濃度情報を算出する濃度情報算出手段と、前記算出された濃度情報と、正常濃度情報との差異の大きさを表す指標である特異量及びその特異量が算出された前記対象臓器内における位置を示す位置情報を求める特異量算出手段と、前記特異量算出手段により算出された特異量に関する情報を表示する表示手段と、を備えたことを特徴とする。また、本発明に係る画像表示装置は、前記算出された特異量及び前記位置情報に基づいて、前記対象臓器における特異量の分布を示す特異量マップを作成する特異量マップ作成手段を備え、前記表示手段は、前記特異量に関する情報として前記特異量マップを前記断面像の異常部位位置に重ねた画像を表示することを特徴とする。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
筐体外部の操作手段に対する操作に応じて制御されるクレーンにより前記筐体内部に置かれる景品を取得する景品取得ゲーム装置において、
前記クレーンは、主クレーンと従クレーンとからなり、
前記従クレーンは、前記操作手段に対する操作に応じて、前記主クレーンに対し相対して昇降移動される、
ことを特徴とする景品取得ゲーム装置。
【請求項２】
請求項１において、  
前記筐体内で上下方向に移動する主軸を有する昇降機構を備え、
前記主クレーンは、前記主軸の下端に設けられ、
前記従クレーンは、前記主軸に接続された一端と、前記筐体外部の操作手段に対する操作に応じて前記主軸と平行に昇降制御される他端とを有する副軸の前記他端に接続される、
ことを特徴とする景品取得ゲーム装置。
【請求項３】
筐体外部に設けられた操作手段と、
筐体内部に設けられた、
景品が展示されるステージと，
前記ステージに位置する景品を取得するクレーンと、
前記クレーンを移動する移動機構と、
前記ステージ内に上部が開口した景品排出部と、
前記景品排出部と連なって設けられた景品取り出し口と、
前記操作手段に対する操作入力に応じて、前記クレーンを移動させ、前記クレーンが景品を取得した後、前記排出部上方で前記景品を前記クレーンから解放する制御を行う制御手段を有し、
前記クレーンは、主クレーンと従クレーンからなり、
前記主クレーンは、前記筐体内で上下方向に昇降する主軸の下端に設けられ、
前記従クレーンは、前記主軸に接続された一端と、前記筐体外部の操作手段に対する操作に応じて前記主軸と平行に昇降制御される他端を有する副軸の前記他端に接続されてなり、
前記制御手段が、前記副軸の一端を中心として前記他端を昇降制御し、前記従クレーンを前記主クレーンに対して相対して昇降する、
ことを特徴とする景品取得ゲーム装置。
【請求項４】
遊戯者が操作する操作部と，景品が展示されるステージと，前記操作部により入力される操作信号により，前記ステージの天井部に設けた水平移動機構により水平移動し，前記水平移動機構に設けた昇降機構から前記ステージに向け昇降するクレーン部を有し，前記クレーン部で前記ステージに展示された景品を取得し，景品排出部に移動して前記景品の取得を行う景品取得ゲーム装置であって，
前記クレーン部は，主クレーンと，前記主クレーンに対する従クレーンを有し，
前記主クレーンは，前記昇降機構に垂下された昇降体の下端に設けられ，
前記従クレーンは，前記主クレーンに対し相対的に昇降可能に設けられた， 
ことを特徴とする景品取得ゲーム装置。
【請求項５】
遊戯者が操作する操作部と，景品が展示されるステージと，前記操作部により入力される操作信号により，前記ステージの天井部に設けた水平移動機構により水平移動し，前記水平移動機構に設けた昇降機構から前記ステージに向け昇降するクレーン部を有し，前記クレーン部で前記ステージに展示された景品を取得し，景品排出部に移動して前記景品の取得を行う景品取得ゲーム装置であって，
前記クレーン部は，主クレーンと，前記主クレーンに対する従クレーンを有し，
前記主クレーンは，前記昇降機構に垂下された昇降体の下端に設けられ，
前記従クレーンは，前記主クレーンに対し傾動可能に取り付けた傾動腕の端部に設けられた， 
ことを特徴とする景品取得ゲーム装置。
【請求項６】
請求項１から請求項５のいずれかにおいて、
前記主クレーン及び従クレーンのそれぞれは，一対の開閉可能の把持アームを有し，前記主クレーン及び従クレーンの一対の把持アームは平行に配置されていることを特徴とする景品取得ゲーム装置。
【請求項７】
請求項１から請求項５のいずれかにおいて、
前記従クレーンに対し，前記主クレーンの周りを回動する回動機構を有し，操作部の操作により前記従クレーンが回動制御されることを特徴とする景品取得ゲーム装置。
【手続補正書】
【提出日】平成20年12月24日(2008.12.24)
【手続補正１】
【補正対象書類名】特許請求の範囲
【補正対象項目名】請求項１
【補正方法】変更
【補正の内容】
【請求項１】
検査対象への信号の送信および／又は検査対象からの信号の受信に用いられるコイル装置であって、第１の導体部と前記第１の導体部と比較して前記検査対象側に配置される第２の導体部とをそれぞれ備えた複数のサブコイルと、前記複数のサブコイルを導通させるためのコイル導通手段と、前記第１の導体部と第２の導体部との導通状態を制御する第１の導通制御手段とを備え、
前記コイル導通手段は、前記複数のサブコイルのうち隣接するもの同士の各一端部を接続する第１のコイル導通手段と、前記隣接するもの同士の各他端部を接続する第２のコイル導通手段とを備えたことを特徴とするコイル装置。
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
遊技に関する制御を司る制御基板、及び該制御基板を収容する基板ケースを有する制御装置と、
遊技機本体の背面側に設けられ、前記基板ケースと前記遊技機本体の背面とを離間させた状態で前記制御装置を装着し、それら基板ケースと遊技機本体の背面との間に隙間領域を形成する台座部材と、
を備え、
前記隙間領域にスペーサ部材を設けるとともに、該スペーサ部材に上下方向に連通する連通孔を形成したことを特徴とする遊技機。
【請求項２】
前記スペーサ部材を、一方に開口した開口部を有する立体形状とし、前記開口部を閉ざすようにして前記スペーサ部材を前記台座部材の背面側に取り付けると共に、前記スペーサ部材の内外を連通するように前記連通孔を形成したことを特徴とする請求項１に記載の遊技機。
【請求項３】
前記スペーサ部材の内部領域を仕切る仕切板部を複数設け、該仕切板部に、上下方向に貫通する貫通孔を形成したことを特徴とする請求項２に記載の遊技機。
【請求項４】
前記スペーサ部材の内部領域を仕切る仕切板部を複数設け、該仕切板部の開口側端部に、上下方向に貫通する切欠部を形成し、前記スペーサ部材を前記台座部材に取り付けた場合に上下方向に連通する連通孔が形成される構成としたことを特徴とする請求項２に記載の遊技機。
【請求項５】
遊技に関する制御を司る制御基板、及び該制御基板を収容する基板ケースを有する制御装置と、
遊技機本体の背面側に設けられ、前記基板ケースと前記遊技機本体の背面とを離間させた状態で前記制御装置を装着し、それら基板ケースと遊技機本体の背面との間に隙間領域を形成する台座部材と、
を備え、前記遊技機本体の背面側に各種部品を配設するようにした遊技機において、
前記台座部材の前記遊技機本体と対向する側には、前記隙間領域を細分化する細分化部を、少なくとも前記隙間領域に位置する部品を避けながら当該部品に沿うように形成し、さらに、前記台座部材に上下方向に連通する連通孔を形成したことを特徴とする遊技機。
【請求項６】
前記連通孔を、前記台座部材の前記制御装置と対向する側の端部に形成したことを特徴とする請求項５に記載の遊技機。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
遊技球を貯留する球タンクと、
該球タンクから下流側に向けて遊技球が転動するよう傾斜した状態で当該球タンクの下方に設けられたタンクレールと、
該タンクレールから供給された遊技球を賞球として払い出す払出装置と、
該払出装置から払い出された遊技球を誘導する誘導通路と、
遊技盤に打ち込まれた遊技球を遊技機外に排出する排出通路と、
遊技の進行を制御する主制御基板と、
該主制御基板からのコマンドに基づいて前記払出装置による遊技球の払出制御を行う払出制御基板と、
を備える遊技機であって、
前記主制御基板は、
前記コマンドをシリアルで送受信するシリアルインターフェース部を内蔵する主制御中央演算処理装置  を備え、
前記払出制御基板は、
前記コマンドを送受信するシリアルインターフェース装置と、
該シリアルインターフェース装置から前記コマンドを読み込み解析して前記払出装置の払出制御を行う一方、当該コマンドとは異なるコマンドを当該シリアルインターフェース装置から前記主制御中央演算処理装置にシリアルで送信する制御を行う払出制御中央演算処理装置と、
前記シリアルインターフェース装置にクロック信号を出力する発振器と、
を備え、
前記シリアルインターフェース装置は、前記クロック信号を予め定めた分周比で分周して、前記主制御中央演算処理装置からシリアルで送信される前記コマンドの受信タイミングと、当該主制御中央演算処理装置に当該コマンドと異なるコマンドをシリアルで送信する送信レートと、を設定することを特徴とする遊技機。
【請求項２】
前記遊技機は、パチンコ遊技機である請求項１に記載の遊技機。
【請求項３】
前記遊技機は、回胴式遊技機である請求項１に記載の遊技機。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
遊技機前面部に設けられ、遊技に際して操作される操作手段が配設された操作領域と、
操作領域に設けられ、遊技媒体が投入される投入口と、
遊技機内部に設けられた貯留タンクに前記遊技媒体を導く貯留用通路と、
前記操作領域の下方に設けられた受け皿に前記遊技媒体を導く排出用通路と、
前記投入口の下方に設けられ、当該投入口から投入された遊技媒体を前記貯留用通路又は前記排出用通路のいずれかに導くセレクタと、
前記操作領域と前記受け皿との間であって前記セレクタの手前側に設けられ、光透過性を有する部位に装飾が付与された装飾プレートと
を備えた遊技機において、
前記装飾プレートと前記セレクタとの間にて、板面が前記装飾プレートの背面と対向するようにして設けられた導光板と、
導光板内に光を導入する発光体と、
前記導光板に設けられ、前記発光体から導入され導光板内にて反射する光を透過させて又は乱反射させて放射する光放射領域と
を備えたことを特徴とする遊技機。
【請求項２】
前記導光板を前記装飾プレートと平行に並べて配置したことを特徴とする請求項１に記載の遊技機。
【請求項３】
前記光放射領域から放射される光により前記光透過性を有する部位の全体が照らされるように、前記導光板を設けるとともに前記光放射領域を形成したことを特徴とする請求項１又は２に記載の遊技機。
【請求項４】
前記装飾プレート及び前記導光板を横長矩形状とし、前記発光体は、前記導光板の左右のうち少なくともいずれかの端部に沿って配置された棒状発光体であることを特徴とする請求項３に記載の遊技機。
【請求項５】
前記発光体を、前記導光板の左右両端部に沿ってそれぞれ配置したことを特徴とする請求項４に記載の遊技機。
【請求項６】
前方に開放され、前記導光板を収容するとともに、前方開放部が前記装飾プレートにより塞がれる収容部を備え、
前記光透過性を有する部位を照らす光放射領域が形成された部分を利用することなく、前記導光板を前記収容部内にて固定したことを特徴とする請求項３乃至５のいずれか一項に記載の遊技機。
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
医師による一の患者の診断のための撮影依頼に基づいて、オペレータが放射線機器を設定し、当該患者を撮影するときの補助をするシステムであって、  
撮影対象となる患者に関する情報である患者関連情報及びその撮影依頼内容や依頼元である医師に関する情報であるオーダ情報を含む撮影前提情報を受け付ける情報受付部と、
前記撮影前提情報、それに基づいてなされた一連の撮影の順序を示す撮影順序情報、及びその重み付け情報であるプライオリティを紐付けてなる撮影情報を格納している撮影情報格納部と、  
前記撮影前提情報に基づく一連の撮影がなされた場合に、当該撮影前提情報とその撮影順序を示す撮影順序情報とを含む撮影情報が前記撮影情報格納部内にあるかないかを検索し、ある場合には、その撮影情報のプライオリティを更新する一方、ない場合には、所定値のプライオリティを付してなる新たな撮影情報を前記撮影情報格納部に新規登録する順序学習部と、を備えている放射線機器操作補助システム。
【請求項２】
医師による一の患者の診断のための撮影依頼に基づいて、オペレータが放射線機器を設定し、当該患者を撮影するときの補助をするシステム用のプログラムであって、  
撮影対象となる患者に関する情報である患者関連情報及びその撮影依頼内容や依頼元である医師に関する情報であるオーダ情報を含む撮影前提情報を受け付ける情報受付部と、
前記撮影前提情報、それに基づいてなされた一連の撮影の順序を示す撮影順序情報、及びその重み付け情報であるプライオリティを紐付けてなる撮影情報を格納している撮影情報格納部と、  
前記撮影前提情報に基づく一連の撮影がなされた場合に、当該撮影前提情報とその撮影順序を示す撮影順序情報とを含む撮影情報が前記撮影情報格納部内にあるかないかを検索し、ある場合には、その撮影情報のプライオリティを更新する一方、ない場合には、所定の値のプライオリティを付してなる新たな撮影情報を前記撮影情報格納部に新規登録する順序学習部と、としての機能をコンピュータに発揮させることを特徴とするプログラム。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
制御基板を収容する基板ケースがベース部材を介して装着され、前記基板ケースが封印シールを貼着するためのケース側貼着部を有し、かつ、前記ベース部材が前記封印シールを貼着するためのベース側貼着部を有し、前記ケース側貼着部と前記ベース側貼着部との境界線を含む部分に前記封印シールを貼着するように構成した遊技機であって、
前記ケース側貼着部と前記ベース側貼着部との境界線が非直線形状になっていることを特徴とする遊技機。
【請求項２】
制御基板を収容する基板ケースが基板ボックスとボックスカバーからなる二つ割り構成とされ、前記基板ボックスが封印シールを貼着するためのボックス側貼着部を有し、かつ、前記ボックスカバーが前記封印シールを貼着するためのカバー側貼着部を有し、前記ボックス側貼着部と前記カバー側貼着部との境界線を含む部分に前記封印シールを貼着するように構成した遊技機であって、
前記ボックス側貼着部と前記カバー側貼着部との境界線が非直線形状になっていることを特徴とする遊技機。
【請求項３】
前記基板ボックスと前記ボックスカバーがネジ止めされており、前記ボックス側貼着部及び前記カバー側貼着部のいずれか一方にネジを埋設する挿通孔を設け、前記挿通孔を前記封印シールにて被覆した請求項２に記載の遊技機。
【請求項４】
前記基板ボックスと前記ボックスカバーとがスライドさせて組み付けられ、前記ボックス側貼着部の側面と前記カバー側貼着部の側面とに形成される境界線を前記基板ボックスと前記ボックスカバーの組み付け方向の線と前記組み付け方向に対して直交する方向の線とからなる階段状とした請求項２又は３に記載の遊技機。
【請求項５】
前記ボックス側貼着部と前記カバー側貼着部との境界線の近傍に凹溝部を形成し、前記凹溝部の少なくとも一部を前記封印シールにて被覆した請求項２、３又は４に記載の遊技機。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
制御基板を収容する基板ケースがベース部材を介して装着され、前記基板ケースが封印シールを貼着するためのケース側貼着部を有し、かつ、前記ベース部材が前記封印シールを貼着するためのベース側貼着部を有し、前記ケース側貼着部と前記ベース側貼着部との境界線を含む部分に前記封印シールを貼着するように構成した遊技機であって、
前記ケース側貼着部と前記ベース側貼着部との前記境界線が、前記基板ケースの表面、前記基板ケース及び前記ベース部材の側面、並びに、前記ベース部材の裏面のうち少なくとも二面に形成されることを特徴とする遊技機。
【請求項２】
制御基板を収容する基板ケースが基板ボックスとボックスカバーからなる二つ割り構成とされ、前記基板ボックスが封印シールを貼着するためのボックス側貼着部を有し、かつ、前記ボックスカバーが前記封印シールを貼着するためのカバー側貼着部を有し、前記ボックス側貼着部と前記カバー側貼着部との境界線を含む部分に前記封印シールを貼着するように構成した遊技機であって、
前記ボックス側貼着部と前記カバー側貼着部との境界線が、前記基板ケースの表面、側面及び裏面のうち少なくとも二面に形成される請求項１に記載の遊技機。
【請求項３】
前記ボックス側貼着部が前記基板ボックスの裏面と側面とに形成されており、前記ボックス側貼着部の裏面側であって前記基板ボックスの裏面と側面との間の角部から切欠き部を設けると共に、前記ボックス側貼着部の裏面部分に前記切欠き部に向かって下るボックス側傾斜部を形成し、前記ボックス側傾斜部を前記切欠き部から露出させたカバー側貼着部に連接させた請求項２に記載の遊技機。
【請求項４】
前記ボックス側貼着部が前記基板ボックスの裏面と側面とに形成されており、前記ボックス側貼着部の裏面側であって前記基板ボックスの裏面と側面との間の角部から切欠き部を設けると共に前記切欠き部から表面側に所定間隔を隔てて平板部を設け、前記切欠き部と前記平板部との間に前記カバー側貼着部の一部を嵌合させた請求項２に記載の遊技機。
【請求項５】
前記ボックス側貼着部と前記カバー側貼着部とのうち一方に少なくとも前記基板ケースの二面に渡って形成される切欠き部を設け、かつ、他方に少なくとも前記基板ケースの二面に渡って形成されると共に前記切欠き部に嵌合させる嵌合部を設けた請求項２に記載の遊技機。
【手続補正書】
【提出日】平成21年3月9日(2009.3.9)
【手続補正１】
【補正対象書類名】明細書
【補正対象項目名】０００４
【補正方法】変更
【補正の内容】
【０００４】
そこで、この発明では、便溜めの深さを深くしてもおむつの着用感が悪くならないような使い捨ておむつの提供を課題にしている。
【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
管腔臓器が撮影された複数の断層像に基づいて、前記管腔臓器の芯線を求め、その芯線を用いた画像を表示する画像表示装置であって、
前記複数の断層像を入力する入力手段と、
前記各断層像について前記管腔臓器が撮影された管腔臓器領域を二値化抽出し、複数の二値画像を生成する二値化手段と、
前記二値画像に含まれる前記管腔臓器領域の一点を中心とする三次元の小領域であって、前記一点を含む二値画像に連続する他の二値画像の管腔臓器領域も更に包含する三次元の小領域を設定する小領域設定手段と、
前記小領域に含まれる前記管腔臓器領域の平均座標と前記小領域の中心となる一点に対応する中心座標とを求める座標算出手段と、
前記求められた平均座標と前記小領域の中心座標との距離を求める距離算出手段と、
前記求められた距離と、前記平均座標を前記芯線の座標として用いるか否かを判断するための所定の距離と、を比較し、前記求められた距離が前記所定の距離より小さい場合は、前記平均座標を前記芯線の座標とすると判断する芯線座標判断手段と、
前記芯線の座標に基づいて芯線を生成する芯線生成手段と、
前記芯線を用いた画像を生成する画像生成手段と、
前記芯線を用いた画像を表示する表示手段と、
を備えることを特徴とする画像表示装置。
【請求項２】
前記画像生成手段は、前記生成された芯線に仮想内視鏡の視点を設定し、その視点から前記管腔臓器の内部に仮想光線を照射し投影面上に投影した仮想内視鏡画像を生成し、
前記表示手段は、前記仮想内視鏡画像を表示する、
ことを特徴とする請求項１に記載の画像表示装置。
【請求項３】
前記画像生成手段は、前記生成された芯線に基づいて前記管腔臓器の走行方向に沿った曲面任意多断面再構成像を生成し、
前記表示手段は、前記曲面任意多断面再構成像を表示する、
ことを特徴とする請求項１に記載の画像表示装置。
【請求項４】
前記管腔臓器は、被検体の肝臓内を走行する血管であって、
前記肝臓内の任意の血管内の点を指定する指定手段を更に備え、
前記画像生成手段は、前記指定された点よりも抹消方向を走行する血管から血液が供給される血管支配領域を示す画像を生成し、
前記表示手段は、前記血管支配領域を示す画像を表示する、
ことを特徴とする請求項１に記載の画像表示装置。
【請求項５】
前記所定の距離を設定するための距離設定手段を更に備え、
前記芯線生成手段は、前記設定された距離が小さいほど細い芯線を生成し、前記設定された距離が大きいほど太い芯線を生成する、
ことを特徴とする請求項１乃至４の何れかに記載の画像表示装置。
【請求項６】
芯線の太さを指定するための指定手段を更に備え、
前記芯線生成手段は、前記指定された太さの芯線を生成する、
ことを特徴とする請求項１乃至４の何れかに記載の画像表示装置。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
遊技盤に遊技球が流下する遊技領域を形成し、
前記遊技盤には、前記遊技領域内に入球口を配置するとともに、その直下位置に遊技球が入球し易い状態とそれよりも入球しにくい状態とに切り換え可能な可変入球装置を配置し、
前記入球口に入球して前記遊技盤の後方へ案内された遊技球を、前記可変入球装置に形成した球通路を介して排出する遊技機であって、
前記球通路を、前記可変入球装置を上下方向に貫通するように形成された上下貫通路によって構成し、
前記入球口に入球した遊技球の前記後方への案内位置が前記上下貫通路における上側開口の真上位置となるように、前記入球口と前記可変入球装置との位置関係を設定したことを特徴とする遊技機。
【請求項２】
前記可変入球装置は、前方に開放された入口部と、入口部を開放状態と閉鎖状態とに切り換え可能とする開閉扉と、前記入口部から入球した遊技球を排出通路へ案内する案内領域とを備え、
前記上下貫通路と前記案内領域とを、上下貫通路が後方となるように並設したことを特徴とする請求項１に記載の遊技機。
【請求項３】
前記排出通路を前記案内領域の奥側に形成するとともに、前記上下貫通路を前記排出通路に対して横並びとなるように形成したことを特徴とする請求項２に記載の遊技機。
【請求項４】
前記案内領域の奥側壁部により当該案内領域と前記上下貫通路とを区画したことを特徴とする請求項２又は３に記載の遊技機。
【請求項５】
前記奥側壁部には当該奥側壁部から後方へ突出した突条壁部を設け、当該突条壁部により前記上下貫通路の通路壁の一部を構成したことを特徴とする請求項４に記載の遊技機。
【請求項６】
前記案内領域を、その前後方向の幅寸法が遊技球１個分となるよう形成したことを特徴とする請求項２乃至５のいずれか１に記載の遊技機。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
遊技機であって、
遊技の進行を制御する主制御基板と、
前記主制御基板から送信される遊技球または遊技メダルの払い出しに関するコマンドである払出コマンドに基づいて、遊技球または遊技メダルの払い出しを制御する払出制御基板と、
を備え、
前記主制御基板は、
前記払出制御基板に、電気的ノイズの影響を受けない低速の通信速度で、シリアルでコマンドを送信する主制御基板シリアル送信部と、
該主制御基板における汎用パラレルポートのうちの一部のポートである主制御基板パラレル受信ポートと、
を備え、
前記払出制御基板は、
前記主制御基板から、電気的ノイズの影響を受けない低速の通信速度で、シリアルでコマンドを受信する払出制御基板シリアル受信部と、
該払出制御基板における汎用パラレルポートのうちの一部のポートである払出制御基板パラレル送信ポートと、
定時間割り込み処理を繰り返し実行して、前記払い出しに関する処理を行う払出制御基板中央演算処理装置と、
を備え、
前記払出制御基板シリアル受信部は、
１バイトの記憶容量を有し、前記主制御基板からシリアルで送信されるコマンドをパラレルデータに変換して記憶する受信シフトレジスタと、
１バイトの記憶容量を有し、記憶状態がクリアである場合に、前記受信シフトレジ
スタに記憶されたコマンドを受け取って記憶する受信バッファレジスタと、
を備え、
前記払出制御基板は、
前記払出制御基板中央演算処理装置から出力されるセット信号に応じて、前記受信バッファレジスタをクリアするバッファクリア部を備え、
前記払出コマンドは、前記主制御基板シリアル送信部から前記払出制御基板シリアル受信部へシリアルで送信されて前記受信バッファレジスタに記憶され、
前記払出制御基板中央演算処理装置は、前記受信バッファレジスタに記憶されている払出コマンドを読み出すと、前記セット信号を前記バッファクリア部に出力し、更に、前記払出コマンドを正常に受信したと判断した場合は、払出コマンド確認信号を、前記払出制御基板パラレル送信ポートを介して出力し、
前記払出コマンド確認信号は、前記払出制御基板パラレル送信ポートから前記主制御基板パラレル受信ポートへパラレルで送信されることを特徴とする、
遊技機。
【請求項２】
請求項１記載の遊技機であって、
前記主制御基板は、
前記払出制御基板から、電気的ノイズの影響を受けない低速の通信速度で、シリアルでコマンドを受信する主制御基板シリアル受信部と、
前記主制御基板における汎用パラレルポートのうちの一部のポートである主制御基板パラレル送信ポートと、
定時間割り込み処理を繰り返し実行して、前記遊技の進行の制御に関する処理を行う主制御基板中央演算処理装置と、
を備え、
前記払出制御基板は、
前記主制御基板に、電気的ノイズの影響を受けない低速の通信速度で、シリアルでコマンドを送信する払出制御基板シリアル送信部と、
前記払出制御基板における汎用パラレルポートのうちの一部のポートである払出制御基板パラレル受信ポートと、
を備え、
前記払出制御基板中央演算処理装置は、遊技機の所定の動作状態を検知し、該動作状態を示すコマンドである動作状態コマンドを、前記払出制御基板シリアル送信部を介して出力し、
前記動作状態コマンドは、前記払出制御基板シリアル送信部から前記主制御基板シリアル受信部へシリアルで送信され、
前記主制御基板中央演算処理装置は、前記動作状態コマンドを正常に受信したと判断した場合は、動作状態コマンド確認信号を、前記主制御基板パラレル送信ポートを介して出力し、
前記動作状態コマンド確認信号は、前記主制御基板パラレル送信ポートから前記払出制御基板パラレル受信ポートへパラレルで送信されることを特徴とする、
遊技機。
【請求項３】
請求項１記載の遊技機であって、
前記払出制御基板シリアル受信部と、前記払出制御基板における汎用パラレルポートと、
前記バッファクリア部は、１チップに集積されていることを特徴とする、
遊技機。
【手続補正書】
【提出日】平成21年8月18日(2009.8.18)
【手続補正１】
【補正対象書類名】明細書
【補正対象項目名】００３２
【補正方法】変更
【補正の内容】
【００３２】
マイクロコンピュータ７は、図示しない車両のイグニッションスイッチを介して電源であるバッテリのプラス端子に接続されている。このマイクロコンピュータ７は、後述するフローチャートにて示すコンピュータプログラムを実行し、ステッピングモータ５に接続した駆動回路９を制御する演算処理を行う。
【手続補正２】
【補正対象書類名】明細書
【補正対象項目名】００４２
【補正方法】変更
【補正の内容】
【００４２】
ステップＳ７で、マイクロコンピュータ７は、第１の駆動周波数ｆｉとは異なる第２の周波数ｆｉ−Ａに置き換えて、移動角ｙｉを第２の駆動周波数ｆｉ−Ａと係数Ｋとによって算出する。第２の周波数ｆｉ−Ａは第１の駆動周波数ｆｉに比べてＡという値分駆動周波数が小さいものである。具体的には、第１の駆動周波数ｆｉが出力禁止周波数Ｆと同じ２００ＰＰＳの場合、第１の駆動周波数ｆｉより低い第２の周波数ｆｉ−Ａは、記憶している駆動パターンの２００ＰＰＳの一段下の１００ＰＰＳに置き換えて、移動角ｙｉを算出する。
【手続補正３】
【補正対象書類名】明細書
【補正対象項目名】００４３
【補正方法】変更
【補正の内容】
【００４３】
ステップＳ８で、指示角Ｙｉを前回の指示角Ｙｉ−１とステップＳ６またはステップＳ７で算出した移動角ｙｉとの和によって算出する。
【手続補正４】
【補正対象書類名】明細書
【補正対象項目名】００４５
【補正方法】変更
【補正の内容】
【００４５】
ステップＳ８での処理が終了すると、ステップＳ９にて前記イグニションスイッチがオフかどうかを判定し、前記イグニッションスイッチがオフでなければステップＳ１へ戻り、前記イグニッションスイッチがオフであれば処理を終了する。
【手続補正５】
【補正対象書類名】明細書
【補正対象項目名】００４６
【補正方法】変更
【補正の内容】
【００４６】
以上のように、算出された第１の駆動周波数ｆｉが前記出力禁止駆動周波数であるか否かを判定し、第１の駆動周波数ｆｉが前記出力禁止駆動周波数である場合に前記出力禁止駆動周波数より低い第２の駆動周波数ｆｉ−Ａに置き換えることによって、部品点数の増加を抑えるとともに、簡単な制御でステッピングモータ５による振動と騒音の発生を抑制することが可能なステッピングモータ５の駆動制御装置及び駆動制御方法を提供することができる。
【手続補正６】
【補正対象書類名】明細書
【補正対象項目名】００４９
【補正方法】変更
【補正の内容】
【００４９】
１    指標板
２    環状移動部材
３    指針
４    フレーム部材
５    ステッピングモータ
６    表示装置
７    マイクロコンピュータ（制御手段）
８    記憶手段
９    駆動回路
１１    透視部
１２    指標部
２１    ギヤ列
４１    貫通部
４２    支持部材
５１    駆動軸
５２    回転部材
５３    ギヤ列（第２のギヤ列）
５４    コイル
５５    コイル
５６    マグネットロータ
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
超音波の送受信を繰り返すプローブを接続し、体腔内においてラジアル走査させることで、該プローブより体腔内での超音波エコーを取得し、該取得した超音波エコーに基づいて生成される、該超音波の出射方向に対する輝度ラインデータを複数用いて、該体腔内の断面画像を生成・表示する超音波診断装置であって、
前記生成された輝度ラインデータのうち、所定の閾値以下の輝度を示すデータを該閾値に置き換える置換手段と、
前記置換手段によって処理された輝度ラインデータを、前記超音波の出射方向に対して微分処理する微分手段と、
前記微分手段によって処理された微分データのうち、予め定められた範囲の微分データにおける最小値を検出する第１の検出手段と、
前記予め定められた範囲の微分データのうち、前記検出された最小値に対応する前記出射方向の位置よりも手前側に位置する微分データの中から、最大値を検出する第２の検出手段と、
前記生成された輝度ラインデータの、前記最小値に対応する前記出射方向の位置および前記最大値に対応する前記出射方向の位置をそれぞれ通る前記断面画像上の線を境界線として導出する導出手段と
を備えることを特徴とする超音波診断装置。
【請求項２】
前記生成された輝度ラインデータのうちから、特定の輝度ラインデータを読み出して前記置換手段へ渡す読出手段を更に有することを特徴とする請求項１に記載の超音波診断装置。
【請求項３】
前記予め定められた範囲とは、超音波送信直後に受信される超音波エコーの乱れの影響を排除した範囲であることを特徴とする請求項１に記載の超音波診断装置。
【請求項４】
前記予め定められた範囲とは、前記生成された輝度ラインデータのうち、所定の閾値以下の輝度ラインデータを排除した範囲であって、かつ、超音波送信直後に受信される超音波エコーの乱れの影響を排除した範囲であることを特徴とする請求項１に記載の超音波診断装置。
【請求項５】
前記読出手段は、前記特定の輝度ラインデータを、前記断面画像の円周方向において等間隔に読み出すことを特徴とする請求項２に記載の超音波診断装置。
【請求項６】
前記導出手段により導出される線は、スプライン曲線であることを特徴とする請求項１に記載の超音波診断装置。
【請求項７】
超音波の送受信を繰り返すプローブを接続し、体腔内においてラジアル走査させることで、該プローブより体腔内での超音波エコーを取得し、該取得した超音波エコーに基づいて生成される、該超音波の出射方向に対する輝度ラインデータを複数用いて、該体腔内の断面画像を生成・表示する超音波診断装置における情報処理方法であって、
前記生成された輝度ラインデータのうち、所定の閾値以下の輝度を示すデータを該閾値に置き換える置換工程と、
前記置換手段によって処理された輝度ラインデータを、前記超音波の出射方向に対して微分処理する微分工程と、
前記微分手段によって処理された微分データのうち、予め定められた範囲の微分データにおける最小値を検出する第１の検出工程と、
前記予め定められた範囲の微分データのうち、前記検出された最小値に対応する前記出射方向の位置よりも手前側に位置する微分データの中から、最大値を検出する第２の検出工程と、
前記生成された輝度ラインデータの、前記最小値に対応する前記出射方向の位置および前記最大値に対応する前記出射方向の位置をそれぞれ通る前記断面画像上の線を境界線として導出する導出工程と
を備えることを特徴とする情報処理方法。
【請求項８】
請求項７に記載の情報処理方法をコンピュータによって実行させるための制御プログラム。
【手続補正２】
【補正対象書類名】明細書
【補正対象項目名】００１２
【補正方法】変更
【補正の内容】
【００１２】
上記の目的を達成するために本発明に係る超音波診断装置は以下のような構成を備える。即ち、
超音波の送受信を繰り返すプローブを接続し、体腔内においてラジアル走査させることで、該プローブより体腔内での超音波エコーを取得し、該取得した超音波エコーに基づいて生成される、該超音波の出射方向に対する輝度ラインデータを複数用いて、該体腔内の断面画像を生成・表示する超音波診断装置であって、
前記生成された輝度ラインデータのうち、所定の閾値以下の輝度を示すデータを該閾値に置き換える置換手段と、
前記置換手段によって処理された輝度ラインデータを、前記超音波の出射方向に対して微分処理する微分手段と、
前記微分手段によって処理された微分データのうち、予め定められた範囲の微分データにおける最小値を検出する第１の検出手段と、
前記予め定められた範囲の微分データのうち、前記検出された最小値に対応する前記出射方向の位置よりも手前側に位置する微分データの中から、最大値を検出する第２の検出手段と、
前記生成された輝度ラインデータの、前記最小値に対応する前記出射方向の位置および前記最大値に対応する前記出射方向の位置をそれぞれ通る前記断面画像上の線を境界線として導出する導出手段とを備える。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
外枠と、外枠内に支持機構によって支持された外槽と、この外槽内に回転軸を横にしたドラムと、ドラムを回転駆動する駆動手段と、外槽内への給排水機構と、ドラムの回転駆動および外槽への給排水を制御するコントローラとを備えたドラム式洗濯機において、
前記ドラムの前部に、複数の層に区分けされ各層の内部に液体を内蔵した流体バランサを装着し、
前記流体バランサは、径方向の最も外周側に位置する最外層が、最も内周側に位置する最内層よりも奥側に後退して設けられており、前記流体バランサの前面外周部に奥側に後退する段部が形成され、前記最外層を構成し液体を内蔵した各部屋の前側端部及び奥側端部は、前記最内層を構成し液体を内蔵した各部屋の前側端部及び奥側端部よりも、それぞれ奥側にずらして設けられていることを特徴とするドラム式洗濯機。
【請求項２】
請求項１に記載のドラム式洗濯機において、
前記流体バランサは、その最外層の外周面を前記ドラムの内周面に接触させて装着されていることを特徴とするドラム式洗濯機。
【請求項３】
請求項１乃至２のいずれか１項に記載のドラム式洗濯機において、
前記流体バランサに形成された各層は、バッフルによって周方向に複数の部屋に分割されており、
前記バッフルは周方向に隣接する部屋間で液体の流通を許す開口部を有し、
前記開口部は、内周側に回転軸方向の長さが径方向の長さよりも長い内周側開口部を有すると共に、内周側開口部の外周側端部から外周側に延設され回転軸方向の長さが径方向の長さよりも短いスリット状の開口部を有し、
前記最外層では、前記スリット状の開口部が前記内周側開口部の回転軸方向における中間部に位置することを特徴とするドラム式洗濯機。
【請求項４】
請求項３に記載のドラム式洗濯機において、前記最内層では、前記スリット状の開口部が前記内周側開口部の回転軸方向における端部に位置することを特徴とするドラム式洗濯機。
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
透明部材又は着色した透明部材からなる台座と、この台座上に保持され透明部材からなるメモリアル対象の表示部と、前記台座上に形成した載置部に持ち運び可能に載置したメモリアル品を収納するメモリアル収納容器とからなり、
前記表示部は、接離可能に密接させた２枚の透明部材からなり、その一方の密接面部に収納凹部を形成してメモリアル対象の写真を収納するとともに他方の密接面部にメモリアル対象の記録部をレーザー彫刻し、前記２枚の透明部材を密接させて前記台座に形成した溝部に嵌めて取り外し可能に保持したことを特徴とするメモリアル用品。
【手続補正２】
【補正対象書類名】明細書
【補正対象項目名】００１１
【補正方法】変更
【補正の内容】
【００１１】
前記目的を達成するために、請求項１の発明は、透明部材又は着色した透明部材からなる台座と、この台座上に保持され透明部材からなるメモリアル対象の表示部と、前記台座上に形成した載置部に持ち運び可能に載置したメモリアル品を収納するメモリアル収納容器とからなり、前記表示部は、接離可能に密接させた２枚の透明部材からなり、その一方の密接面部に収納凹部を形成してメモリアル対象の写真を収納するとともに他方の密接面部にメモリアル対象の記録部をレーザー彫刻し、前記２枚の透明部材を密接させて前記台座に形成した溝部に嵌めて取り外し可能に保持したことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
請求項１の発明によれば、メモリアル対象者を表示するとともに体毛（産毛）や乳歯を収納したメモリアル容器を飾り、あるいは遺骨や遺髪を収納したメモリアル収納容器を祀ってあるので、メモリアル用品を見ることで赤ちゃんの誕生や成長を実感して楽しむことができ、あるいはメモリアル用品を拝むことで心情的にも故人や亡くなったペットを身近に偲ぶことができる。また、表示部の裏面にメモリアル対象者等を表示することで、透明体を透して赤ちゃんの姿等や遺影等を見ることができるので斬新さと美観性を創出することができる。
【手続補正１５】
【補正対象書類名】明細書
【補正対象項目名】００２４
【補正方法】変更
【補正の内容】
【００２４】
また、本発明によれば、装飾物により常時メモリアル用品を飾ることができる。さらに、プリザードフラワーは、２年位は生花に近い状態でその花の美しさを保つので、長期間花を交換することなく美しい状態でメモリアル用品を飾ることができる。
【手続補正１６】
【補正対象書類名】明細書
【補正対象項目名】００２５
【補正方法】変更
【補正の内容】
【００２５】
そして、メモリアル対象者の写真の交換を簡単に行え、その写真により新たな思いを喚起することができる。
【手続補正１７】
【補正対象書類名】明細書
【補正対象項目名】００２６
【補正方法】変更
【補正の内容】
【００２６】
さらに、記録部や表示部に記載してある事柄により赤ちゃんの誕生や人の成長あるいは故人やペットを身近に感じることができる。
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】変更
【補正の内容】
【００２８】
また、カプセル容器に収納してメモリアル用品に飾ってある体毛（産毛）や乳歯あるいは祀ってある遺骨や遺髪をペンダントや携帯電話のストラップとして用るいことができ、常に遺骨を身に付けてメモリアル対象者を思い浮かべることができる。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
回転軸を横にした回転自在なる回転ドラムと、前記回転ドラムを内包すると共に洗濯水を溜める外槽と、前記外槽を内包する外枠と、前記回転ドラムに温風を送風するための除湿部，ヒータ及び送風機を含む乾燥装置とを有し、前記乾燥装置の少なくとも一部を外枠側に配置したドラム式洗濯乾燥機において、
前記乾燥装置側の通風路をベローズを介して前記外槽側に接続し、
前記ベローズを、その伸縮方向が外槽の前面に沿うか或いは略鉛直方向に沿うように設けると共に、前記外槽の前面の外周縁よりも外側に設け、
更に、前記ベローズを、洗濯物を出し入れするドアが設けられた前面側から見て、回転ドラムの回転軸を横切って鉛直方向にとった中央線から幅方向にずらして配置すると共に、少なくとも前記ベローズの伸縮部の下端が鉛直方向において前記外槽の最も高い部分よりも低い位置にあるように配置したことを特徴とするドラム式洗濯乾燥機。
【請求項２】
請求項１に記載のドラム式洗濯乾燥機において、
前記ベローズは、このドラム式洗濯乾燥機を横から見たときに、前記外槽の前面よりも前側に位置することを特徴とする洗濯乾燥機。
【請求項３】
請求項１乃至２のいずれか１項に記載のドラム式洗濯乾燥機において、
前記除湿部と前記ヒータと前記送風機とは外枠側に設けられ、
前記ベローズは、前記除湿部と前記ヒータと前記送風機とを通過した後の循環空気が流れる通風路に接続されることを特徴とするドラム式洗濯乾燥機。
【請求項４】
請求項１乃至３のいずれか１項に記載のドラム式洗濯乾燥機において、前記回転ドラムの回転軸を前側が奥側よりも高くなるように傾けたことを特徴とするドラム式洗濯乾燥機。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
洗濯水を溜める外槽内に回転可能に設けた洗濯兼脱水槽である内槽と、該内槽を回転駆動する駆動装置と、該外槽に洗濯水を給水する給水機構と、前記外槽底部に溜めた洗濯水を循環する洗濯水循環機構と、前記外槽内の洗濯水を排水する排水機構と、前記外槽内の水位を検出する水位検出手段と、前記内槽に投入された洗濯物の量を検出する布量検出手段と、前記駆動機構と給水機構と排水機構と洗濯水循環機構を制御する制御装置を備えた洗濯機において、
前記洗濯水循環機構は、循環ポンプと該循環ポンプと前記外槽とを接続する流路とで構成され、該流路は前記外槽底部から前記循環ポンプへ至る第１の流路と、前記循環ポンプから前記外槽底部へ至る第２の流路と、前記循環ポンプから前記外槽上部へ至る第３の流路とで構成され、
前記第２の流路と前記第３の流路とを切り替える手段を備えたことを特徴とする洗濯機。
【請求項２】
請求項１において、
前記制御手段は前記循環ポンプの回転方向を変えることで前記第２の流路と前記第３の流路とを切り替えることを特徴とする洗濯機。
【請求項３】
請求項１において、前記循環ポンプはモータとモータ軸に締結したランナーと該ランナーを覆う円筒状のケーシングとで構成され、該ケーシングはモータの反対側端面中央に吸い込み口を備え、前記ケーシングは内周面の内側に突出した隔壁を有し、該隔壁を挟んで第１の吐出口と第２の吐出口とを備え、該第１の吐出口を前記第２の流路に接続し、該第２の吐出口を前記第３の流路に接続することを特徴とする洗濯機。
【請求項４】
請求項１において、前記外槽は底部に凹状の水受け部を備え、該水受け部に前記第１の流路入口と前記第２の流路出口を接続することを特徴とする洗濯機。
【請求項５】
請求項４において、前記水受け部は上面を略半分覆う隔壁を有し、前記第２の流路の出口を前記隔壁の下部に設けたことを特徴とする洗濯機。
【請求項６】
請求項４において、前記第２の流路の出口に該出口から吐き出される水を前記第１の流路入口に向かわせる整流部材を設けたことを特徴とする洗濯機。
【請求項７】
請求項４において、前記水受け部底面は、前記第２の流路出口部が高く前記第１の流路入口部が低い傾斜面であることを特徴とする洗濯機。
【請求項８】
請求項１において、前記給水機構は給水電磁弁と洗剤を収容し該給水電磁弁からの水で洗剤を押し流す洗剤容器と該洗剤容器と外槽外周に設けた給水口とを接続する給水管とで構成され、前記給水口に外槽内周面に沿って水を整流する整流部材を設けたことを特徴とする洗濯機。
【請求項９】
請求項８において、前記整流部材は弾性部材で形成され前記給水口を開閉するように設けられ、前記給水口を水が流れるときは前記弾性部材が給水口から離れ給水口を開き、前記外槽内の圧力が前記洗剤容器内の圧力よりも高いときは前記整流部材が前記給水口を閉じるように構成したことを特徴とする洗濯機。
【請求項１０】
請求項３において、前記制御装置は、前記給水機構を制御し規定量の水と洗剤を前記外槽底部へ供給する洗剤供給工程と、前記ランナーが前記第１の吐出口から前記第２の吐出口へ向かって回転するよう前記循環ポンプを制御し前記外槽底部に供給された水と洗剤を前記第１の流路から前記第２の流路を経て前記外槽底部へ戻るように循環し高濃度洗剤液を生成する洗剤溶解工程と、前記ランナーを前記洗剤溶解工程と反対方向に回転するよう前記循環ポンプを制御し前記外槽底部に生成された洗剤液を前記第１の流路から前記第３の流路を経て前記外槽上部から前記洗濯槽内へ散水する洗剤液散水工程とを実行することを特徴とする洗濯機。
【請求項１１】
請求項１０において、前記制御手段は、前記布量検出手段による洗濯物量の検出結果に応じて前記洗剤供給工程における水の給水量を制御することを特徴とする洗濯機。
【請求項１２】
請求項１０において、前記制御手段は、前記洗剤溶解工程において前記循環ポンプの回転を一旦停止し再度回転する運転を複数回繰り返すよう制御することを特徴とする洗濯機。
【請求項１３】
請求項１０において、前記制御手段は、前記洗剤溶解工程において前記駆動装置を連続して回転あるいは回転と停止を繰り返すよう制御することを特徴とする洗濯機。